(57)【特許請求の範囲】
【請求項１】
通話相手の氏名、電話番号を登録する電話帳を有する携帯電話無線機の受信音声補正システムにおいて、
受信信号の周波数帯域を分割し分割された周波数帯域のレベルに受信信号重み係数を乗算して受信信号を補正する受信信号補正部と、
前記電話帳の氏名、電話番号に対応して、通話相手が使用する日本語、種々の外国語に関する使用言語の情報、通話相手の性別の情報、通話相手の発声の大小の情報を受信パラメータとして予め保持する受信パラメータ保持部と、
前記受信信号補正部で分割される周波数帯域に対して、日本語、種々の外国語に対する重み係数、女性、男性に対する重み係数、発声の大小に対する重み係数を保持する重み係数保持部と、
受信信号に含まれる電話番号から前記受信パラメータ保持部に保持されている通話相手の発呼者の受信パラメータを検索する発呼者検索部と、
前記発呼者の検索された受信パラメータの情報に基づいて前記重み係数保持部から日本語、種々の外国語を使用する通話者の使用言語、通話者の性別、通話者の発声の大小を確認し、確認した通話者の使用言語の重み係数、通話者の性別の重み係数、通話者の発声の大小の重み係数を選択し、選択された使用言語の重み係数、性別の重み係数、発声の大小の重み係数を乗算して受信信号重み係数を求め、前記受信信号重み係数を受信信号補正部に設定する重み係数設定部とを備えることを特徴とする携帯電話無線機の受信音声補正システム。
【請求項２】
前記受信信号補正部及び前記重み係数設定部がＤＳＰで構成されることを特徴とする、請求項１に記載の携帯電話無線機の受信音声補正システム。
【請求項３】
前記受信信号補正部は、前記受信信号の周波数帯を複数に分割する複数のＢＰＦを有し、複数の前記ＢＰＦは、可聴周波数範囲を心理音響学における聴覚の臨界帯域に基づいて作られたバルク尺度で分割された周波数帯域を有することを特徴とする、請求項１に記載の携帯電話無線機の受信音声補正システム。
【請求項４】
前記受信信号補正部は、複数の前記ＢＰＦの後段に乗算器をそれぞれ設け、前記乗算器には受信信号を補正するための前記受信信号重み係数が乗算係数として設定されることを特徴とする、請求項３に記載の、携帯電話無線機の受信音声補正システム。
【請求項５】
前記携帯電話無線機に設けられる操作部により、前記受信パラメータ保持部には通話相手の使用言語、性別、発声の特徴が受信パラメータとして設定されることを特徴とする、請求項１に記載の携帯電話無線機の受信音声補正システム。
【請求項６】
前記携帯電話無線機に設けられる操作部により、前記重み係数保持部には、使用言語、性別、発声の特徴毎に、前記受信信号補正部で分割された周波数帯域のレベルを補正するための重み係数が設定されることを特徴とする、請求項１に記載の携帯電話無線機の受信音声補正システム。
【請求項７】
前記重み係数保持部には、前記使用言語については通話相手が英語を話す外国人の場合には高周波域の成分を減衰させ、前記性別については通話相手が男性の場合には女性よりも高周波域の成分を高め、前記発声の特徴については発声が大きい場合には全周波数帯域のレベルを減衰させ、発声が小さい場合には全周波数帯域のレベルを高めるように重み係数が設定されることを特徴とする、請求項１に記載の携帯電話無線機の受信音声補正システム。
【請求項８】
通話相手の氏名、電話番号を登録する電話帳を有する携帯電話無線機の受信音声補正方法において、
受信信号の周波数帯域を分割し分割された周波数帯域のレベルに受信信号重み係数を乗算して受信信号を補正する工程と、
前記電話帳の氏名、電話番号に対応して、通話相手が使用する日本語、種々の外国語に関する使用言語の情報、通話相手の性別の情報、通話相手の発声の大小の情報を受信パラメータとして予め保持する工程と、
前記受信信号補正部で分割される周波数帯域に対して、日本語、種々の外国語に対する重み係数、女性、男性に対する重み係数、発声の大小に対する重み係数を保持する工程と、
受信信号に含まれる電話番号から前記受信パラメータ保持部に保持されている通話相手の発呼者の受信パラメータを検索する工程と、
前記発呼者の検索された受信パラメータの情報に基づいて前記重み係数保持部から日本語、種々の外国語を使用する通話者の使用言語、通話者の性別、通話者の発声の大小を確認し、確認した通話者の使用言語の重み係数、通話者の性別の重み係数、通話者の発声の大小の重み係数を選択し、選択された使用言語の重み係数、性別の重み係数、発声の大小の重み係数を乗算して受信信号重み係数を求め、前記受信信号重み係数を受信信号に乗算する工程とを備えることを特徴とする携帯電話無線機の受信音声補正方法。
【発明の詳細な説明】
【０００１】
【産業上の利用分野】
本発明は携帯電話無線機に関する。特に、本発明は、通話時に通話相手の音声明瞭性を高めて通話品質を向上するための携帯電話無線機の受信音声補正システムに関する。
【０００２】
【従来の技術】
特開２０００−２０９６９８号公報に、本願発明者により、使用者の年齢による聴覚の変化に合わせて、音声の周波数特性及びレベルを補正する移動機が開示されている。
上記補正を行う移動機について、さらなる課題について以下に説明を行う。
【０００３】
近年では、日本国内においても、携帯電話無線機を所有する外国人も増えてきている。
また、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＧＳＭ（Ｇｌｏｂａｌ  Ｓｙｓｔｅｍ  ｆｏｒＭｏｂｉｌｅ  Ｃｏｍｍｕｎｉｃａｔｉｏｎｓ）等の携帯電話無線機も導入されるにつれて、他言語の人々との通話の機会も多くなってきている。
【０００４】
言語にはそれぞれ特徴があり、周波数帯域や抑揚等に違いがあり、使用言語により聴覚特性も異なることが知れている。
例えば、英語は日本語と比較し抑揚が多く、周波数帯域が広いため、特に２．５ｋＨｚ異常の高域成分が聞き取りにくい傾向にあるという第１の問題がある。逆に、英語のテープの高域成分（２．５ｋＨｚ以上）を減衰させた場合、オリジナルのテープより単語の聞き取りがしやすくなることが一般に知られている。
【０００５】
また、性別による音声の周波数特性について男性の声の場合、一般に音声ホルマントが女性と比較し低音にあるため、女性と比較して明瞭性の低い、こもったような聞こえとなることが多いという第２の問題がある。
また、通話相手の送話音声の大きさに応じて、通話時にキー操作により受信音声レベルを調整する必要があるが、この調整は煩雑であるという第３の問題がある。
【０００６】
【発明が解決しょうとする課題】
したがって、本発明は上記問題点に鑑みて、使用言語と聴覚の周波数特性の相違、性別による発声の周波数特性の相違、通話相手に対する送話音声の大きさの相違に対して通話時に通話相手の音声の明瞭性を高めて通話品質を向上できる携帯電話無線機の受信音声補正システム及び方法を提供することを目的とする。
【０００７】
【課題を解決するための手段】
本発明は前記問題点を解決するために、通話相手の氏名、電話番号を登録する電話帳を有する携帯電話無線機の受信音声補正システムにおいて、受信信号の周波数帯域を分割し分割された周波数帯域のレベルに受信信号重み係数を乗算して受信信号を補正する受信信号補正部と、前記電話帳の氏名、電話番号に対応して、通話相手が使用する日本語、種々の外国語に関する使用言語の情報、通話相手の性別の情報、通話相手の発声の大小の情報を受信パラメータとして予め保持する受信パラメータ保持部と、前記受信信号補正部で分割される周波数帯域に対して、日本語、種々の外国語に対する重み係数、女性、男性に対する重み係数、発声の大小に対する重み係数を保持する重み係数保持部と、受信信号に含まれる電話番号から前記受信パラメータ保持部に保持されている通話相手の発呼者の受信パラメータを検索する発呼者検索部と、前記発呼者の検索された受信パラメータの情報に基づいて前記重み係数保持部から日本語、種々の外国語を使用する通話者の使用言語、通話者の性別、通話者の発声の大小を確認し、確認した通話者の使用言語の重み係数、通話者の性別の重み係数、通話者の発声の大小の重み係数を選択し、選択された使用言語の重み係数、性別の重み係数、発声の大小の重み係数を乗算して受信信号重み係数を求め、前記受信信号重み係数を受信信号補正部に設定する重み係数設定部とを備えることを特徴とする携帯電話無線機の受信音声補正システムを提供する。
【０００８】
この手段により、使用言語と聴覚の周波数特性の相違、性別による発声の周波数特性の相違、通話相手に対する送話音声の大きさの相違に対して通話時に通話相手の音声の明瞭性を高めて通話品質を向上できる。
好ましくは、前記受信信号補正部及び前記重み係数設定部がＤＳＰで構成される。
【０００９】
この手段により、高速にデータを処理することが可能になり、さらに、小型を図ることが可能になる。
好ましくは、前記受信信号補正部は、前記受信信号の周波数帯を複数に分割する複数のＢＰＦを有し、複数の前記ＢＰＦは、可聴周波数範囲を心理音響学における聴覚の臨界帯域に基づいて作られたバルク尺度で分割された周波数帯域を有する。さらに、好ましくは、前記受信信号補正部は、前記乗算器には、複数の前記ＢＰＦの後段に乗算器をそれぞれ設け、受信信号を補正するための前記受信信号重み係数が乗算係数として設定される。
【００１０】
これらの手段により、可聴周波数帯域において、受信信号の補正を容易に行うことが可能になる。
好ましくは、前記携帯電話無線機に設けられる操作部により、前記受信パラメータ保持部には通話相手の使用言語、性別、発声の特徴が受信パラメータとして設定され、さらに、好ましくは、前記携帯電話無線機に設けられる操作部により、使用言語、性別、発声の特徴毎に、前記重み係数保持部には前記受信信号補正部で分割された周波数帯域のレベルを補正するための重み係数が設定される。
【００１１】
これらの手段により、ユーザにとって、通話相手の設定、追加、変更に対して、受信パラメータの設定が容易に行われ、さらに、受信パラメータに対して、重み係数の設定が容易に行われる。
好ましくは、前記重み係数保持部には、前記使用言語については通話相手が英語を話す外国人の場合には高周波域の成分を減衰させ、前記性別については通話相手が男性の場合には女性よりも高周波域の成分を高め、前記発声の特徴については発声が大きい場合には全周波数帯域のレベルを減衰させ、発声が小さい場合には全周波数帯域のレベルを高めるように重み係数が設定される。
【００１２】
この手段により、通話相手毎に通話時の音声の明瞭性を高めて通話品質を向上できる。
さらに、本発明は、通話相手の氏名、電話番号を登録する電話帳を有する携帯電話無線機の受信音声補正方法において、受信信号の周波数帯域を分割し分割された周波数帯域のレベルに受信信号重み係数を乗算して受信信号を補正する工程と、前記電話帳の氏名、電話番号に対応して、通話相手が使用する日本語、種々の外国語に関する使用言語の情報、通話相手の性別の情報、通話相手の発声の大小の情報を受信パラメータとして予め保持する工程と、前記受信信号補正部で分割される周波数帯域に対して、日本語、種々の外国語に対する重み係数、女性、男性に対する重み係数、発声の大小に対する重み係数を保持する工程と、受信信号に含まれる電話番号から前記受信パラメータ保持部に保持されている通話相手の発呼者の受信パラメータを検索する工程と、前記発呼者の検索された受信パラメータの情報に基づいて前記重み係数保持部から日本語、種々の外国語を使用する通話者の使用言語、通話者の性別、通話者の発声の大小を確認し、確認した通話者の使用言語の重み係数、通話者の性別の重み係数、通話者の発声の大小の重み係数を選択し、選択された使用言語の重み係数、性別の重み係数、発声の大小の重み係数を乗算して受信信号重み係数を求め、前記受信信号重み係数を受信信号に乗算する工程とを備えることを特徴とする携帯電話無線機の受信音声補正方法を提供する。
【００１３】
この手段により、上記発明と同様に、使用言語と聴覚の周波数特性の相違、性別による発声の周波数特性の相違、通話相手に対する送話音声の大きさの相違に対して通話時に通話相手の音声の明瞭性を高めて通話品質を向上できる。
【００１４】
【発明の実施の形態】
以下、本発明の実施の形態について図面を参照して説明する。
図１は本発明に係る携帯電話無線機の概略構成のブロック図を示す図である。本図に示すように、先ず、携帯電話無線機にはＣＰＵ（中央演算装置）１１が設けられ、ＣＰＵ１１は、基地局等の無線回線接続、通話チャンネルの切り換えなどに関する携帯電話無線機全体を制御するとともに本発明の通話に関係する種々の演算処理及び音声補正の処理を行う。
【００１５】
さらに、ＣＰＵ１１には無線部１２が接続され、無線部１２は、受信信号を復調し、送信信号を変調して、基地局との通信を行う。
さらに、ＣＰＵ１１には操作部１３が接続され、操作部１３はキーボード等からなり、情報の入力に使用される。
さらに、ＣＰＵ１１には表示部１４が接続され、表示部１４はＬＣＤ（Ｌｉｑｕｉｄ  Ｃｒｙｓｔａｌ  Ｄｉｓｐｌａｙ）からなり、メニュー表示、機能表示、電話番号表示等を行う。
【００１６】
さらに、ＣＰＵ１１及び無線部１２にはＤＳＰ（ディジタル信号処理部）１５が接続され、ＤＳＰ１５は、無線部１２から受信信号を入力し、無線部１２に送信信号を出力し、特に、無線部１２からの受信信号の周波数特性、レベルを通信相手の使用言語、性別、発声の大きさの特徴に合わせた可聴周波数領域に補正する処理機能を有する。ＤＳＰを用いることにより、処理を高速にでき、小型化を図ることが可能になる。
【００１７】
さらに、ＣＰＵ１１及びＤＳＰ１５にはメモリ１６が接続され、メモリ１６は、通話相手の名前、電番号のデータ、さらに、通話相手毎に異なる使用言語、性別、発声の大きさの特徴により受信信号特性を変化させるための受信パラメータのデータ、受信パラメータに対応して周波数帯域毎に音声の補正を行うための重み係数等のデータを格納する。
【００１８】
ＤＳＰ１５にはＤ／Ａ（ディジタル・アナログ）・Ａ／Ｄ（アナログ・ディジタル）コンバータ１７が接続され、Ｄ／Ａ・Ａ／Ｄコンバータ１７はＤＳＰ１５から出力される受信信号をディジタルからアナログに変換し、入力される送信信号をアナログからディジタルに変換してＤＳＰ１５に出力する。
Ｄ／Ａ・Ａ／Ｄコンバータ１７にはマイクロフォン増幅器（ＭＩＣ  ＡＭＰ）１８が接続され、マイクロフォン増幅器１８は送信信号を増幅し、Ｄ／Ａ・Ａ／Ｄコンバータ１７に出力する。
【００１９】
Ｄ／Ａ・Ａ／Ｄコンバータ１７にはレシーバ増幅器（ＲＥＣ  ＡＭＰ）２０が接続され、レシーバ増幅器２０はＤ／Ａ・Ａ／Ｄコンバータ１７からの受信信号を増幅する。
マイクロフォン増幅器１８にはマイクロフォン１９が接続され、マイクロフォン１９は送話音を送信信号に変換する。
【００２０】
レシーバ増幅器２０にはスピーカ２１が接続され、スピーカ２１は受信信号を受話音に変換する。
図２は図１の主要部の詳細ブロックを示す図であり、図３は図２の電話帳１６Ａ及び受信パラメータ保持部１６Ｂを説明する図である。本図２に示すように、メモリ１６には、電話帳１６Ａ、受信パラメータ保持部１６Ｂ、重み係数保持部１６Ｃが設けられる。
【００２１】
本図３に示すように、電話帳１６Ａは、通話相手となる氏名、電話番号の情報が保持する。さらに、受信パラメータ保持部１６Ｂは、電話帳１６の通話相手となる氏名に対応して、通話相手の使用する言語、例えば、日本語、英語等の情報、さらに、男女の性別の情報、さらに、発声の特徴、例えば発声のレベルについて、大、普通、小等の情報を保持する。
【００２２】
これらの情報は、操作部１３からＣＰＵ１１を経由して入力される。
さらに、図２に戻り、ＣＰＵ１１には発呼者検索部１１Ａが設けられ、発呼者検索部１１Ａは、無線部１２から入力された通話相手の電話番号で、メモリ１６の電話帳１６Ａを検索する。
さらに、ＤＳＰ１５には帯域通過フィルタ又は周波数帯域分割手段（ＢＰＦ）５１、重み係数設定部５２、補正手段５３が設けられる。
【００２３】
ＢＰＦ５１は、無線部１２から入力される受信信号の可聴周波数範囲を心理音響学における聴覚の臨界帯域幅に基づいてバルク（Ｂａｒｋ）尺度を用いて複数の帯域に分割する帯域通過フィルタである。
図４は図２のＢＰＦ５１の特性を説明する図である。本図４に示すように、バルク尺度とは、心理音響学において聴覚を０から１５．５ｋＨｚまでの周波数範囲を聴覚の臨界帯域幅に基づいて作られた尺度であり、０から２４バルクまでの臨界帯域に分割されている。
【００２４】
ＢＰＦ５１は、０から２４バルクまでの臨界帯域のうち、音声信号の周波数範囲である３００から３７００Ｈｚまでを３から１７バルクまでの１５個に分割した聴覚特性に近いフィルタを擬似的に構成している。
さらに、図２に示すように、補正手段５３は、上述したＢＰＦ５１で分割された各帯域に対して、重み付け補正を行い、補正された受信信号をＤ／Ａ・Ａ／Ｄコンバータ１７に出力する。
【００２５】
なお、Ｄ／Ａ・Ａ／Ｄコンバータ１７からの送信信号はＤＳＰ１５を通過して無線部１２に向かう。
図５は図２のＢＰＦ５１、補正手段５３の構成例を示す図である。本図に示すように、ＢＰＦ５１には複数のＢＰＦ１０１、１０２、１０３、…、１１５が設けられ、ＢＰＦ１０１、１０２、１０３、…、１１５は、無線部１２からの出力信号を入力し、図４のバルク３、４、５、…、１７にそれぞれ対応する周波数特性を有する。
【００２６】
補正手段５３には乗算器２０１、２０２、２０３、…、２１５が設けられ、乗算器２０１、２０２、２０３、…、２１５はＢＰＦ１０１、１０２、１０３、…、１１５の出力に、受信信号重み係数Ｄ１０１、Ｄ１０２、Ｄ１０３、…、Ｄ１１５をそれぞれ乗算する。
乗算器２０１、２０２、２０３、…、２１５の出力には加算器２１６が接続され、加算器２１６は、乗算器２０１、２０２、２０３、…、２１５の出力を加算し、Ｄ／Ａ・Ａ／Ｄコンバータ１７に受信信号として出力する。
【００２７】
乗算器２０１、２０２、２０３、…、２１５の受信信号重み係数Ｄ１０１、Ｄ１０２、Ｄ１０３、…、Ｄ１１５は重み係数設定部５２により設定される。
これにより、可聴周波数帯において、受信信号の補正を容易に行うことが可能になる。
図６は図２の重み係数保持部１６Ｃを説明する図である。本図に示すように、重み係数保持部１６Ｃには、ＢＰＦ１０１、１０２、１０３、…、１１５のそれぞれの出力に関して、通話相手の使用言語の重み係数Ａｉ（ｉ＝１０１〜１１５）、性別の重み係数Ｂｉ（ｉ＝１０１〜１１５）、特徴（発声の大きさ）の重み係数Ｃｉ（ｉ＝１０１〜１１５）が保持される。
【００２８】
使用言語の重み係数Ａｉは「日本語」の場合を標準として、Ａｉ＝１（ｉ＝１０１〜１１５）、である。
性別の重み係数Ｂｉは「女性」の場合を標準として、Ｂｉ＝１（ｉ＝１０１〜１１５）である。
特徴（発声の大きさ）の重み係数Ｃｉは「普通」の場合を標準として、Ｂｉ＝１（ｉ＝１０１〜１１５）である。
【００２９】
使用言語が「英語」の場合には、一例として、ＢＰＦ１１３〜１１５（バルク１５〜１７）に対する重み係数を０．５倍に低下させ、高域の成分を減衰させる。これは、日本人のユーザに対して、英語の会話に含まれる２．５ｋＨｚ以上の高周波成分を取り除き、聞き取りを容易にし、通話時の明瞭性を高めるためである。
【００３０】
次に、性別が「男」の場合には、一例として、ＢＰＦ１１１〜１１５（バルク１３〜１７）に対する重み係数を２倍に増加させ、高周波域の成分を高める。これは、性別による音声ホルマントの存在する周波数に着目して重み係数を設定することで明瞭性を高めることを可能にするためである。すなわち、例えば、男性の発声の場合一般に音声ホルマントが女性と比較し、低音にあるため、女性と比較し、明瞭性の低い、こもったような聞こえとなることが多いためである。
【００３１】
次に、発声の特徴（発声の大きさ）が「大」の場合には、一例として、０．５倍（Ｂｉ＝０．５；ｉ＝１０１〜１１５）に低下させる。
発声の特徴（発声の大きさ）が「小」の場合には、一例として、２倍（Ｂｉ＝２；ｉ＝１０１〜１１５）に増加させる。
このように、通話時に個人の発声の特徴（発声の大小）に合わせ、全周波数帯域のレベルを調整することで通話時の受話音声レベルをある一定の幅に調整することができるため、通話時の音量調整等の操作を行う必要を無くすためである。
【００３２】
重み係数保持部１６Ｃに保持される重み係数は操作部１３からＣＰＵ１１を経由して入力され、又は変更される。
次に、図２に戻り、ＤＳＰ１５の重み係数設定部５２には、重み係数選択部５２Ａ、重み係数演算部５２Ｂが設けられる。
重み係数選択部５２Ａは、ＣＰＵ１１の発呼者検索部１１Ａから発呼者の検索情報を入力し、メモリ１６の受信パラメータ保持部１６Ｂに基づいて、受信パラメータ、つまり使用言語、性別、特徴について、重み係数保持部１６Ｃから重み係数を選択する。
【００３３】
重み係数演算部５２Ｂは、重み係数選択部５２Ａにより選択された受信パラメータに対してメモリ１６の重み係数保持部１６Ｃから重み係数を読み出し、受信信号重み係数Ｄ１０１、Ｄ１０２、Ｄ１０３、…、Ｄ１１５を、以下のように、演算する。
Ｄｉ＝Ａｉ×Ｂｉ×Ｃｉ（ｉ＝１０１〜１１５）
【００３４】
重み係数設定部５２は、重み係数演算部５２Ｂにより演算された受信信号重み係数Ｄ１０１、Ｄ１０２、Ｄ１０３、…、Ｄ１１５をＤＳＰ１５の補正手段５３の乗算器２０１、２０２、２０３、…、２１５にそれぞれ設定する。
図７は電話帳１６Ａ、受信パラメータ保持部１６Ｂへの入力動作を説明するフローチャートである。本図に示すように、ステップＳ２０１において、ＣＰＵ１１は携帯電話無線機が待ち受け状態にあることを確認する。
【００３５】
ステップＳ２０２において、ＣＰＵ１１は、操作部１３により電話帳入力キーの押下を監視する。
ステップＳ２０３において、ＣＰＵ１１は、電話帳１６Ａの機能が起動したことを確認する。
ステップＳ２０４において、ＣＰＵ１１は、操作部１３より通話相手の名前が入力されることを確認する。
【００３６】
ステップＳ２０５において、ＣＰＵ１１は、操作部１３より通話相手の電話番号が入力されることを確認する。
ステップＳ２０６において、ＣＰＵ１１は、操作部１３より通話相手の使用言語が入力されることを確認する。
ステップＳ２０７において、ＣＰＵ１１は、操作部１３より通話相手の性別が入力されることを確認する。
【００３７】
ステップＳ２０８において、ＣＰＵ１１は、操作部１３より通話相手の発声特徴、発声のレベルの大、普通、小の情報が入力されることを確認する。
ステップＳ２０９において、ＣＰＵ１１は、入力された通話相手の名前、電話番号をメモリ１６の電話帳１６Ａに保持させ、入力された通話相手の使用言語、性別、発声の特徴を受信パラメータとして受信パラメータ保持部１６Ｂに保持させる。
【００３８】
ステップＳ２１０において、ＣＰＵ１１は、待ち受け状態に移行することを確認し、動作を終了する。
図８は重み係数保持部１６Ｃへの入力動作を説明するフローチャートである。本図に示すように、ステップＳ２１１において、ＣＰＵ１１は、携帯電話無線機が待ち受け状態にあることを確認する。
【００３９】
ステップＳ２１２において、ＣＰＵ１１は、操作部１３の入力キーが押下されたか否かを確認する。
ステップＳ２１３において、ＣＰＵ１１は定数入力機能が起動したことを確認する。
ステップＳ２１４において、ＣＰＵ１１は、操作部１３により重み係数保持部１６Ｃへの重み係数の入力、又重み係数の変更を確認する。
【００４０】
ステップＳ２１５において、ＣＰＵ１１は、重み係数保持部１６Ｃに重み係数を保持させる。
ステップＳ２１６において、携帯電話無線機が待ち受け状態に移行したかを判断する。
図９は重み係数設定部５２の動作を説明するフローチャートである。本図に示すように、ステップＳ２２１において、ＣＰＵ１１は、携帯電話無線機が待ち受け状態にあることを確認する。
【００４１】
ステップＳ２２２において、ＣＰＵ１１は、着呼を確認する。
ステップＳ２２３において、ＣＰＵ１１は、発呼者検索部１１Ａにより、電話帳１６Ａに発呼者の電話番号が登録されているか否かを判断する。
ステップＳ２２４において、上記登録がある場合には、重み係数設定部５２の重み係数選択部５２Ａは、メモリ１６の受信パラメータ保持部１６Ｂを参照し、重み係数保持部１６Ｃから発呼者の言語パラメータＡの重み係数を選択する。重み係数演算部５２Ｂは、重み係数選択部５２Ａにより選択された重み係数Ａｉ（ｉ＝１０１〜１１５）を入力する。
【００４２】
ステップＳ２２５において、重み係数選択部５２Ａは、受信パラメータ保持部１６Ｂを参照し、重み係数保持部１６Ｃから発呼者の性別パラメータＢの重み係数を選択する。重み係数演算部５２Ｂは、重み係数選択部５２Ａにより選択された重み係数Ｂｉ（ｉ＝１０１〜１１５）を入力する。
【００４３】
ステップＳ２２６において、重み係数選択部５２Ａは、受信パラメータ保持部１６Ｂを参照し、重み係数保持部１６Ｃから発呼者の発声特徴パラメータＣの重み係数を選択する。重み係数演算部５２Ｂは、重み係数選択部５２Ａにより選択された重み係数Ｃｉ（ｉ＝１０１〜１１６）を入力する。
【００４４】
ステップＳ２２７において、ｉ＝１０１を設定し、重み係数演算部５２Ｂは、入力された重み係数Ａｉ、Ｂｉ、Ｃｉを用いて、以下のように、受信信号重み係数Ｄｉの演算を行う。
ステップＳ２２８において、
受信信号重み係数Ｄｉ
＝Ａｉ×Ｂｉ×Ｃｉ
を演算する。
【００４５】
ステップＳ２２９において、
ｉ＝１１５
が成立するか否かを判断する。
ステップＳ２３０において、ｉ≠１１５ならば、
ｉ＝ｉ＋１
として、ステップＳ２２８に進む。
【００４６】
ステップＳ２３１において、ｉ＝１１５ならば、
重み係数演算部５２Ｂは、受信信号重み係数Ｄｉ（ｉ＝１０１〜１１５）を補正手段５３の乗算器２０１、２０２、２０３、…、２１５に設定する。
以上の説明は、携帯電話無線機について行ったが、さらに、本発明は、ＰＨＳ（パーソナルハンディホンシステム）、ディジタル家庭用電話機等の通信機器にそのまま用いることが可能である。
【００４７】
また、他言語の補正手段をテレビジョン、ステレオなどのオーディオ・ビデオ機器に利用することで、他言語の放送を補正することができ、会話の明瞭性を高めることが可能になる。
【００４８】
【発明の効果】
以上説明したように、本発明によれば、電話帳の氏名、電話番号に対応して、通話相手の使用言語、性別、発声の特徴を受信パラメータとして保持し、パラメータ保持部に保持されている使用言語、性別、発声の特徴毎に、分割された周波数帯域のレベルを補正するための重み係数を保持し、受信信号に含まれる電話番号から通話相手の発呼者を検索し、発呼者の検索情報に基づいて使用言語、性別、発声の特徴毎に重み係数を選択し、選択された重み係数を演算して受信信号重み係数を演算して求め、受信信号重み係数を受信信号に乗算させるようにしたので、使用言語と聴覚の周波数特性、の相違、性別による発声の周波数特性の相違、通話相手に対する送話音声の大きさの相違に対して通話時の明瞭性を高めて通話品質を向上できる。
【００４９】
例えば、聴覚特性は使用言語により異なることが一般に知られている。具体的には、英語は日本語と比較し、周波数帯域が広いため（特に、２．５ｋＨｚ以上の高周波成分が多い）、日本人は欧米人と比較し、２．５ｋＨｚ以上の高周波成分が聞き取りにくい傾向にある。日本人の場合、この聴覚特性により英語テープの高周波成分（２．５ｋＨｚ以上）を減衰させた場合、オリジナルのテープより英語の聞き取りが容易になる事実が一般に知られている。
【００５０】
上記の事実を利用すること、つまり、通話相手の使用言語が英語の場合、ＤＳＰ内にあるＢＰＦにて分割された受信用音声信号の高周波域を減衰させることにより、明瞭性を高めることが可能となる。
他言語においても、日本語との周波数特性相違を考慮したパラメータを設定することで明瞭性を高めることが可能となる。
【００５１】
次に、性別による音声補正では、性別による音声ホルマントの存在する周波数に着目しパラメータを設定することで明瞭性を高めることが可能になる。
例えば、男性の発声の場合一般に音声ホルマントが女性と比較して低音にあるため、女性と比較して低い、こもったような聞こえとなることが多い。この周波数特性の相違を補正するようなパラメータを構成することで、通話時の明瞭性を高めることが可能になる。
【００５２】
さらに、発声の特徴に関する補正では、通話時に各個人の発声の特徴（発声の大、小）に合わせ、全周波数帯域のレベルを調整することで、通話時の受話音声レベルをある一定の幅に調整することができるため、通話時の音量調整等の操作を行う必要が無くなる。
【図面の簡単な説明】
【図１】本発明に係る携帯電話無線機の概略構成のブロック図を示す図である。
【図２】図１の主要部の詳細ブロックを示す図である。
【図３】図２の電話帳１６Ａ及び受信パラメータ保持部１６Ｂを説明する図である。
【図４】図２のＢＰＦ５１の特性を説明する図である。
【図５】図２のＢＰＦ５１、補正手段５３の構成例を示す図である。
【図６】図２の重み係数保持部１６Ｃを説明する図である。
【図７】電話帳１６Ａ、受信パラメータ保持部１６Ｂへの入力動作を説明するフローチャートである。
【図８】重み係数保持部１６Ｃへの入力動作を説明するフローチャートである。
【図９】重み係数設定部５２の動作を説明するフローチャートである。
【符号の説明】
１１…ＣＰＵ
１１Ａ…発呼者検索部
１２…無線部
１３…操作部
１４…表示部
１５…ＤＳＰ
１６…メモリ
１６Ａ…電話帳
１６Ｂ…パラメータ保持部
１６Ｃ…重み係数保持部
１７…Ｄ／Ａ・Ａ／Ｄコンバータ
１８…マイクロフォン増幅器
１９…マイクロフォン
２０…レシーバ増幅器
２１…スピーカ
５１、１０１〜１１５…ＢＰＦ
５２…重み係数設定部
５２Ａ…重み係数選択部
５２Ｂ…重み係数演算部
５３…補正手段
２０１〜２１５…乗算器
２１６…加算器
【図１】
0003555870.tif 000002
【図２】
0003555870.tif 000003
【図３】
0003555870.tif 000004
【図４】
0003555870.tif 000005
【図５】
0003555870.tif 000006
【図６】
0003555870.tif 000007
【図７】
0003555870.tif 000008
【図８】
0003555870.tif 000009
【図９】
0003555870.tif 000010